(57)【要約】【課題】  押しボタンの軸方向長さを短くできる携帯機器を提供する。【解決手段】  腕時計(携帯機器)11は、貫通孔32を有した時計外装体（機器外装体）12、パイプ35、押しボタン25、コイルばね45、及びリング状のパッキン41を具備する。パイプ35を、ばね受け面37bを有した外配置筒部37を挿入筒部36に一体に設けて形成する。挿入筒部36を貫通孔32に挿入して時計外装体12にパイプ35を固定するとともに、外配置筒部37を時計外装体12の外部に配置する。押しボタン25は、パイプ35を移動可能に貫通する軸部26に取付けられて軸部26をパイプ35から抜け止めする抜け止め部材27と、軸部26に設けられた操作ヘッド28を有する。押しボタン25を時計外装体12の外方に付勢するコイルばね45を、操作ヘッド28とばね受け面37bとで挟設する。パイプ35と押しボタン25との間をシールするパッキン41を、パイプ35と押しボタン25との内の一方にコイルばね45の高さＬの範囲内でこのコイルばね45と同心的に取付ける。【選択図】  図２
2009042140.tif 000002
【特許請求の範囲】
【請求項１】
貫通孔を有した機器外装体と、
ばね受け面を有した外配置筒部を挿入筒部に一体に設けて形成され、前記挿入筒部を前記貫通孔に挿入するとともに前記外配置筒部を前記機器外装体の外部に配置して前記機器外装体に固定されたパイプと、
このパイプを移動可能に貫通する軸部、この軸部の前記機器外装体内に位置する一端部に取付けられて前記軸部を前記パイプから抜け止めする抜け止め部材、及び前記軸部の前記機器外装体外に位置する他端に設けられた操作ヘッドを有する押しボタンと、
前記操作ヘッドと前記ばね受け面とに挟設されて前記押しボタンを前記機器外装体の外方に付勢するコイルばねと、
前記パイプと前記押しボタンとの内の一方に前記コイルばねの高さの範囲内でかつこのコイルばねと同心的に取付けられて前記パイプと押しボタンとの間をシールするリング状のパッキンと、
を具備したことを特徴とする携帯機器。
【請求項２】
前記外配置筒部が前記ばね受け面から折れ曲がるように設けられて前記コイルばねの前記ばね受け面側の部位に対向する筒端部を有し、この筒端部に前記パッキンを取付けたことを特徴とする請求項１に記載の携帯機器。
【請求項３】
前記外配置筒部が前記ばね受け面から折れ曲がるように設けられて前記コイルばねと前記軸部との間に挿入される筒端部を有し、前記パッキンを前記筒端部の内周に接触させて前記軸部に取付けたことを特徴とする請求項１に記載の携帯機器。
【請求項４】
請求項１から３の内のいずれか一項の携帯機器で形成された携帯時計。
【請求項５】
胴外面に開放された凹部を有するとともに凹部の奥壁に貫通孔が設けられた胴を備える時計外装組立と、
ばね受け面を有した外配置筒部を挿入筒部に一体に設けて形成され、前記挿入筒部を前記貫通孔に移動可能に挿入するとともに前記外配置筒部を前記胴の外部に配置して前記胴に固定されたパイプと、
このパイプを貫通する軸部、この軸部の前記胴内に位置する一端部に取付けられて前記軸部を前記パイプから抜け止めする抜け止め部材、及び前記軸部の前記胴外に位置する他端に設けられた操作ヘッドを有する押しボタンと、
前記操作ヘッドと前記ばね受け面とに挟設されて前記押しボタンを前記胴の外側方に付勢し、前記押しボタンの押し込みを可能とする間隙を前記奥壁と前記操作ヘッドとの間に形成するコイルばねと、
前記パイプと前記押しボタンとの内の一方に前記コイルばねの高さの範囲内でかつこのコイルばねと同心的に取付けられて前記パイプと押しボタンとの間をシールするリング状のパッキンと、
を具備したことを特徴とする携帯時計。
【請求項６】
前記胴の胴内面から前記胴外面の厚みを前記凹部の深さと前記奥壁の厚みとで規定し、前記奥壁を前記隙間よりも薄くしたことを特徴とする請求項５に記載の携帯時計。
【発明の詳細な説明】
【技術分野】
【０００１】
本発明は、押しボタンを備えた携帯機器及び携帯時計に関する。
【背景技術】
【０００２】
腕時計や懐中時計などの携帯時計、ストップウオッチ、携帯電話、携帯型情報端末機などの携帯機器の中には、例えば機器ケース内の接点等を動作させる押しボタンを機器ケースに取付けたものがある。押しボタンが所定ストローク押込まれることによって、例えば携帯時計では、時計表示をアナログ表示からデジタル表示に或いはこの逆に切換えたり、デジタル表示された日付や曜日を修正したりできるようになっている。
【０００３】
この種の携帯機器では、押しボタンを押し戻す方向に付勢するコイルばねを備えている。これとともに、携帯機器は、押しボタンが機器ケースを挿通して設置されている部分での防水を図るための環状のパッキンを備えている。
【０００４】
具体的には、機器ケースの表面の凹部の底壁に設けた貫通孔にパイプが挿着されている。このパイプに押しボタンの軸部が挿通されているとともに、この軸部の外周に防水のためのパッキンが装着されている。コイルばねは、押しボタンの操作部の裏面とこれに対向した凹部の底壁とで挟設されていて、このばねの内部に押しボタンの軸部が通されている。したがって、コイルばねとパッキンとは、押しボタンの軸部の軸方向に沿って並べて設けられている（例えば、特許文献１参照。）。
【特許文献１】特開2000−230989号公報（段落0002−0006、段落0025−0038、図１−図３）
【発明の開示】
【発明が解決しようとする課題】
【０００５】
特許文献１の技術のように押しボタンの軸部の軸方向に沿ってコイルばねとパッキンを並べた配置では、押しボタンの軸部が、コイルばねの高さに相当する軸部領域に対して軸方向にずれた位置に、パッキンを取付けるための軸部領域を有しているため、押しボタンの全長が長い。
【０００６】
そのため、例えば、押しボタンを携帯時計の胴の外側面から突出するように設ける場合には、その出幅が長くなってしまう。こうした押しボタンの出幅を所定長さに制限するには胴を大きくしなければならない。しかし、そのようにすると、携帯時計が大きく重くなるとともに、時刻表示部を透視させるカバーガラスから胴の外側面に至るカバーガラスまわりの胴正面の厚みが大きいデザインが与えられてしまうので好ましくない。
【０００７】
本発明の目的は、押しボタンの軸方向長さを短くできる携帯機器及び携帯時計を提供することにある。
【課題を解決するための手段】
【０００８】
前記課題を解決するために、本発明の携帯機器は、貫通孔を有した機器外装体と、ばね受け面を有した外配置筒部を挿入筒部に一体に設けて形成され、前記挿入筒部を前記貫通孔に挿入するとともに前記外配置筒部を前記機器外装体の外部に配置して前記機器外装体に固定されたパイプと、このパイプを移動可能に貫通する軸部、この軸部の前記機器外装体内に位置する一端部に取付けられて前記軸部を前記パイプから抜け止めする抜け止め部材、及び前記軸部の前記機器外装体外に位置する他端に設けられた操作ヘッドを有する押しボタンと、前記操作ヘッドと前記ばね受け面とに挟設されて前記押しボタンを前記機器外装体の外方に付勢するコイルばねと、前記パイプと前記押しボタンとの内の一方に前記コイルばねの高さの範囲内でかつこのコイルばねと同心的に取付けられて前記パイプと押しボタンとの間をシールするリング状のパッキンと、を具備している。
【０００９】
本発明の携帯機器は、腕時計や懐中時計などの携帯時計、ストップウオッチ、携帯電話、携帯型情報端末機等に適用でき、その機器外装体とは外装ケース等を指している。本発明で、コイルばねが押しボタンを機器外装体の外方に付勢するとは、押しボタンが機器外装体の正面から押込まれるように設けられる場合、コイルばねで押しボタンを上方に付勢することを指し、又、押しボタンが機器外装体の側面から押込まれる場合、コイルばねで押しボタンを外側方に付勢することを指している。
【００１０】
本発明及び以下の発明で、コイルばねの高さとは、このばねの一端から他端までの長さを指している。これとともに、本発明及び以下の発明で、パッキンがコイルばねの高さの範囲内に取付けられているとは、好ましくは、パッキンがばね受け面に支持されるコイルばねの一端から操作ヘッドに支持されるコイルばねの他端までの間に対応して配置されていることを指している。しかし、寸法誤差範囲の配置、つまり、コイルばねの大部分はコイルばねの一端から他端までの間に対応して配置されているが、コイルばねの一部が、ばね受け面を通って押しボタンの軸部に直交する仮想線を押しボタンの抜け止め部材側に超えて配置される場合も含んでいる。本発明及び以下の発明で、同心的に取付けられるとは、押しボタンを軸方向に見たときにコイルばねの中心とパッキンの中心とが一致する配置を指している。
【００１１】
本発明では、パイプと押しボタンとの間をシールするリング状のパッキンを、押しボタンの軸部の軸方向に沿ってコイルばねに並べて配置することなく、コイルばねの高さの範囲内でかつこのコイルばねと同心的に配置している。
【００１２】
これにより、押しボタンの軸部に、コイルばねの高さに相当する軸部領域から軸方向にずれた位置に、パッキンを取付けるための領域を確保する必要がないので、パッキンの幅寸法に相当して押しボタンの軸方向長さを短くできる。
【００１３】
本発明の携帯機器の好ましい形態では、前記外配置筒部が前記ばね受け面から折れ曲がるように設けられて前記コイルばねの前記ばね受け面側の部位に対向する筒端部を有し、この筒端部に前記パッキンを取付けている。
【００１４】
この発明の形態では、操作ヘッドに支持されるコイルばねの端に向けてばね受け面から折れ曲がるように設けられた筒端部にパッキンを取付けたので、このパッキンをコイルばねの一端から他端までの間に対応させてコイルばねに対して同心的に配置できる。
【００１５】
本発明の携帯機器の好ましい形態では、前記外配置筒部が前記ばね受け面から折れ曲がるように設けられて前記コイルばねと前記軸部との間に挿入される筒端部を有し、前記パッキンを前記筒端部の内周に接触させて前記軸部に取付けている。
【００１６】
この発明の形態では、操作ヘッドに支持されるコイルばねの端に向けてばね受け面から折れ曲がるように設けられた筒端部に、押しボタンの軸部に取付けたパッキンを接触させたので、このパッキンをコイルばねの一端から他端までの間に対応させてコイルばねに対して同心的に配置できる。
【００１７】
前記課題を解決するために、本発明の携帯時計は、前記各発明の内のいずれかの発明の携帯機器で形成されている。
【００１８】
本発明の携帯時計は、前記各発明の内のいずれかの発明の携帯機器で形成されているので、押しボタンの軸方向長さを短くできる携帯時計を提供できる。
【００１９】
前記課題を解決するために、本発明の携帯時計は、胴外面に開放された凹部を有するとともに凹部の奥壁に貫通孔が設けられた胴を備える時計外装組立と、ばね受け面を有した外配置筒部を挿入筒部に一体に設けて形成され、前記挿入筒部を前記貫通孔に移動可能に挿入するとともに前記外配置筒部を前記胴の外部に配置して前記胴に固定されたパイプと、のパイプを貫通する軸部、この軸部の前記胴内に位置する一端部に取付けられて前記軸部を前記パイプから抜け止めする抜け止め部材、及び前記軸部の前記胴外に位置する他端に設けられた操作ヘッドを有する押しボタンと、前記操作ヘッドと前記ばね受け面とに挟設されて前記押しボタンを前記胴の外側方に付勢し、前記押しボタンの押し込みを可能とする間隙を前記奥壁と前記操作ヘッドとの間に形成するコイルばねと、前記パイプと前記押しボタンとの内の一方に前記コイルばねの高さの範囲内でかつこのコイルばねと同心的に取付けられて前記パイプと押しボタンとの間をシールするリング状のパッキンと、を具備している。
【００２０】
本発明の携帯時計では、パイプと押しボタンとの間をシールするリング状のパッキンを、押しボタンの軸部の軸方向に沿ってコイルばねに並べて配置することなく、コイルばねの高さの範囲内でかつこのコイルばねと同心的に配置している。
【００２１】
これにより、押しボタンの軸部に、コイルばねの高さに相当する軸部領域から軸方向にずれた位置に、パッキンを取付けるための領域を確保する必要がないので、パッキンの幅寸法に相当して押しボタンの軸方向長さを短くできる。言い換えれば、胴外面から側方に突出する押しボタンの出幅を短くできる。
【００２２】
本発明の携帯時計の好ましい形態では、前記胴の胴内面から前記胴外面の厚みを前記凹部の深さと前記奥壁の厚みとで規定し、前記奥壁を前記隙間よりも薄くしている。
【００２３】
この発明の形態では、押しボタンの押し込みを可能とする間隙よりも凹部の奥壁の厚みを薄くしたので、押しボタンの軸部の長さが更に短くなって、胴外面から側方に突出する押しボタンの出幅を短くできる。
【発明の効果】
【００２４】
本発明によれば、パイプと押しボタンとの間をシールするリング状のパッキンを、押しボタンを付勢するコイルばねの高さの範囲内でかつこのコイルばねと同心的に配置したことで、押しボタンの軸方向長さを短くできる携帯機器及び携帯時計を提供できる。
【発明を実施するための最良の形態】
【００２５】
本発明の第１実施形態を図１及び図２を参照して説明する。
【００２６】
図１中符号１１は携帯機器例えば携帯時計具体的にはデジタル表示式の腕時計を示している。腕時計１１は機器外装体をなす時計外装体１２を備えている。図２に示すように時計外装体１２内に、例えば液晶表示板１３、液晶の表示を制御する駆動モジュール１４、図示しないランプ、及び電源として図示しない電池等の所要部材が収められている。
【００２７】
駆動モジュール１４は板ばね等からなる接点１５を例えば４個（図２に１個のみ図示する）有し、これらの接点１５は駆動モジュール１４の外周から突出されている。これらの接点１５が後述の押しボタンで押されることによって、駆動モジュール１４が夫々の押しボタンに与えられた機能を発揮するようになっている。例えば、図１中右上の押しボタンはスタート・ストップの機能を分担し、図１中右下の押しボタンはランプの点灯・消灯をする機能を分担し、図１中左上の押しボタンはラップタイムの計測を分担し、図１中左下の押しボタンは液表の表示モードを切り替える機能を分担している。
【００２８】
図２に示すように時計外装体１２は、ステンレス鋼やチタンなどの金属により環状に作られた胴２１の正面に、液晶表示板１３を透視させるカバーガラス２２を液密に装着するとともに、胴２１の裏面に、金属や合成樹脂などから作られた裏蓋２３を液密に装着して形成されている。
【００２９】
時計外装体１２の所定箇所例えばこの時計外装体１２の側壁をなす胴２１の四箇所に押しボタン２５を装着する構成を説明する。各押しボタン２５とそれらを胴２１に装着する構成は同じであるため、ここでは図２を参照してスタート・ストップ機能用の押しボタン２５を胴２１に装着する構成を代表して説明する。
【００３０】
胴２１には、その胴外面（外装体外側面）２１ａに開放された凹部３１が形成されているとともに、この凹部３１の奥壁２１ｂを貫通する貫通孔３２が形成されている。凹部３１及びこれより小径の貫通孔３２は、いずれも円形であるとともに、同心的に設けられている。貫通孔３２の一端が開口された胴２１の胴内面（外装体内側面）２１ｃから胴外面２１ａの厚みＡは、凹部３１の深さＢと奥壁２１ｂの厚みＣとの合計値で設定されている。なお、符号Ｄはカバーガラス２２まわりの胴正面の厚み示しており、この胴正面厚みＤは、胴２１のカバーガラス嵌合部から胴外面２１ａに至る幅寸法で規定されている。
【００３１】
ステンレス鋼やチタンなどの金属製のパイプ３５が胴２１に固定されている。パイプ３５は、挿入筒部３６と、これと一体の外配置筒部３７とで形成されている。外配置筒部３７は、ばね受け面３７ｂを有した奥壁当接部３７ａと、挿入筒部３６の突出方向とは逆方向に突出してばね受け面３７ｂから直角に折れ曲がるように設けられた筒端部３７ｃとで形成されている。以下の構成に限るものではないが、本実施形態では、挿入筒部３６の内周面と外配置筒部３７の内周面とを面一にした関係で、奥壁当接部３７ａは外配置筒部３７の外周に突設されかつ周方向に連続する環状凸部をなしている。
【００３２】
このパイプ３５は、その奥壁当接部３７ａが奥壁２１ｂに当接するまで、挿入筒部３６を胴２１の外側から貫通孔３２に圧入しかつ貫通させることによって胴２１に挿着されている。これにより、外配置筒部３７は凹部３１の中央部に位置して胴２１の外部に配置されている。
【００３３】
パイプ３５の筒端部３７ｃにその内周面に開放して形成された環状溝に防水及び防塵のためのパッキン４１が取付けられている。パッキン４１は弾性変形が可能なゴム系又はプラスチックス系の材料でリング状に形成されている。
【００３４】
押しボタン２５は、軸部２６と、抜け止め部材２７と、操作ヘッド２８とを有している。軸部２６及び操作ヘッド２８は金属又は合成樹脂の一体成形品であり、抜け止め部材２７は別部材である。
【００３５】
軸部２６は、円柱状であって、パイプ３５を摺動可能に貫通する長さを有している。胴２１の内部に位置された軸部２６の長手方向の一端部に止め輪等からなる抜け止め部材２７が取付けられている。抜け止め部材２７は挿入筒部３６の胴２１の内部に突出された端面に引っ掛かる大きさを有している。
【００３６】
胴２１の外部に位置された軸部２６の長手方向の他端に操作ヘッド２８が一体に設けられている。この操作ヘッド２８はキャップ状をなしていて、その周壁２８ａは、外配置筒部３７の筒端部３７ｃに被さるとともに凹部３１に嵌合される大きさをなしている。
【００３７】
押しボタン２５は、その軸部２６を胴２１の外側からパイプ３５に挿入して貫通させた後に、胴２１の内部に突出された軸部２６の先端部に抜け止め部材２７を取付けることにより、胴２１に取付けられている。パイプ３５に貫通された軸部２６の周面にパッキン４１が密接されていて、このパッキン４１によりパイプ３５と押しボタン２５との間がシールされている。
【００３８】
この押しボタン２５はコイルばね４５で時計外装体１２の外方、具体的には胴２１の外側方に向けて付勢されている。そのために、コイルばね４５が、その一端をばね受け面３７ｂと操作ヘッド２８の内面とで挟設されている。コイルばね４５は多少圧縮された状態にあり、押しボタン２５が押し込まれることにより更に圧縮可能である。このコイルばね４５のばね受け面３７ｂ側の部位と軸部２６との間に、外配置筒部３７の筒端部３７ｃが挿入されている。それにより、筒端部３７ｃは前記部位に対向している。
【００３９】
以上の構成を備えた腕時計１１において、携帯時など押しボタン２５が使用されない通常状態では、図２に示すように押しボタン２５は、コイルばね４５の付勢力によって押し込み可能な状態に保持されている。
【００４０】
この状態では、コイルばね４５の付勢力(ばね力)により、抜け止め部材２７が挿入筒部３６の先端部に引っ掛かって押しボタン２５が外れ止めされている。これとともに、操作ヘッド２８の周壁２８ａの開放端部が凹部３１の開口部に嵌まり込んでいて、奥壁２１ｂと操作ヘッド２８の周壁２８ａの開放端との間、及び、外配置筒部３７の筒端部３７ｃと操作ヘッド２８の内面との間に、夫々押しボタン２５の押し込みを可能とする間隙Ｇが確保されている。この間隙Ｇによって押しボタン２５の押し込みストロークが規定されている。しかも、挿入筒部３６への既述の引っ掛かりによって、押しボタン２５の軸部２６の先端２６ｃが駆動モジュール１４の接点１５に近接して対向するように、押しボタン２５が位置決めされている。又、パイプ３５と押しボタン２５との間に挟設されたパッキン４１により、水や砂塵などの異物が胴２１の内部に侵入することを抑制できる。
【００４１】
押しボタン２５の押し込み操作は前記間隙Ｇによって許容されているので、胴２１の外側から押しボタン２５がコイルばね４５のばね力に抗して押し込まれた場合、軸部２６の先端２６ｃが接点１５を押圧する。それにより、押しボタン２５に割り当てられた機能が発揮されるように駆動モジュール１４が動作される。この後、押しボタン２５の押圧が解除されるに伴い、押しボタン２５はコイルばね４５のばね力で押し戻される。
【００４２】
ところで、以上の構成を備えた腕時計１１では、押しボタン２５の操作ヘッド２８に接したコイルばね４５の端に向けて、パイプ３５のばね受け面３７ｂから折れ曲がるように設けられたパイプ３５の筒端部３７ｃにパッキン４１を取付けている。このため、防水等を担うパッキン４１は、コイルばね４５の一端から他端までの間、言い換えれば、コイルばね４５の高さＬの範囲内でかつこのコイルばね４５と同心的に配置されている。
【００４３】
このような押しボタン２５まわりでのパッキン４１とコイルばね４５との配置によれば、コイルばね４５とパッキン４１を押しボタン２５の軸部２６の軸方向に沿って並べる場合のように、コイルばね４５の高さＬに相当する軸部領域から軸方向にずれた位置に、パッキン４１を取付けるための領域を押しボタン２５の軸部２６に、確保する必要がない。言い換えれば、図２に示すようにコイルばね４５の高さＬに相当する軸部領域２６ａ内に、パッキン４１を取付けるための領域２６ｂが設けられる。したがって、パッキン４１の幅寸法に相当する長さＲ分だけ押しボタン２５の軸方向長さを短くできる。
【００４４】
これにより、前記胴正面の厚みＤを従来と同じとした条件では、胴外面２１ａからの押しボタン２５の突出寸法Ｅを短くでき、この逆に、突出寸法Ｅを従来と同じとした条件では、胴正面の厚みＤを狭くできる。そして、後者のようにした場合には、胴２１の小形軽量化を実現できるととともに、胴正面の厚みＤのボリューム感が小さいデザインの腕時計１１とすることができる。
【００４５】
図３は本発明の第２実施形態を示している。この第２実施形態は以下説明する事項を除いて第１実施形態と同じであるので、第１実施形態と同じ構成については第１実施形態と同一符号を付して説明を省略する。
【００４６】
第２実施形態ではコイルばね４５と同心的に配置されるパッキン４１を軸部２６に取付けている。より詳しくは、コイルばね４５で押しボタン２５が押し戻されている通常の状態で、コイルばね４５の高さＬに相当する軸部領域２６ａ内にパッキン４１が取付けられていて、このパッキン４１は、コイルばね４５と軸部２６との間に挿入されたパイプ３５の筒端部３７ｃの内周に密接されている。なお、筒端部３７ｃの開口部はテーパ面を有していて、それにより、パッキン４１が取付けられた軸部２６のパイプ３５内への挿入を容易にしている。
【００４７】
更に、第２実施形態では、押しボタン２５の押し込みを可能とする間隙Ｇよりも凹部３１の奥壁２１ｂの厚みを薄くするとともに、奥壁当接部３７ａの厚みを奥壁２１ｂの厚み以下に薄くしている。以上説明した事項以外は第１実施形態と同じである。
【００４８】
したがって、第２実施形態では、第１実施形態で説明した理由により本発明の課題を解決できる。加えて、以下の点において第２実施形態は第１実施形態よりも優れている。
【００４９】
第１に、押しボタン２５の押し込みを可能とする間隙Ｇよりも凹部３１の奥壁２１ｂの厚みＣを薄くしたので、それに応じて押しボタン２５の軸部２６の長さを、第１実施形態で用いた押しボタンに比較して短くできる。しかも、奥壁当接部３７ａの厚みも薄くしたので、この点でも軸部２６の長さをより短くでき、それに伴い胴外面２１ａから外側方に突出する押しボタン２５の出幅を短くできる。
【００５０】
そのため、前記間隙Ｇの大きさを第１実施形態での間隙と同じとした条件では、胴２１のカバーガラス嵌合部から胴外面２１ａに至る胴正面厚みＤを狭くできる。それにより、第１実施形態と比較して、更なる胴２１の小形軽量化を実現できるととともに、胴正面厚みＤのボリューム感が更に小さいデザインの腕時計１１とすることができる。
【００５１】
第２に、パッキン４１を軸部２６に取付けたことで、パイプ３５の外配置筒部３７にパッキン４１を保持するための肉厚を要しない。このように外配置筒部３７の肉厚が薄くなることに伴い、奥壁当接部３７ａで規定される外配置筒部３７の最大径を小さくできる。そのため、軸部２６の径が第１実施形態の場合と同じであるにも拘わらず、小径なコイルばね４５を使用できるとともに、それに伴い押しボタン２５の操作ヘッド２８を小径に形成することが可能である。
【００５２】
そして、このような押しボタン２５の小径化を図った場合には、胴２１の形成される凹部３１の径も小さくなるので、胴２１全体の厚み(高さ)が第１実施形態と比較して小さくなって、腕時計１１の薄型化を図ることができる。
【００５３】
なお、前記各実施形態では、パイプ３５と押しボタン２５の軸部２６との間で防水を図ったが、これに代えて、パイプ３５と押しボタン２５の操作ヘッド２８との間で防水を図ることもできる。この場合、パイプ３５の外配置筒部３７のばね受け面３７ｂから折れ曲がるように設けられた筒端部３７ｃを、コイルばね４５のばね受け面３７ｂ側部位の外周と、操作ヘッド２８の周壁２８ａとの間に挿入させるとともに、この筒端部３７ｃの外周部に周壁２８ａの内面に密接するパッキン４１を筒端部３７ｃに取付ければよい。この構成では、前記各実施形態と比較して大径なパッキン４１を使用しなければならないが、コイルばね４５に対する防水・防塵ができる点で好ましい。
【００５４】
本発明は前記各実施形態に制約されるものではなく、携帯時計の他にも、例えばストップウオッチ、携帯電話、携帯型情報端末機などの携帯機器に適用できる。
【図面の簡単な説明】
【００５５】
【図１】本発明の第１実施形態の腕時計を示す正面図。
【図２】図１中Ｆ２−Ｆ２線に沿う断面図。
【図３】本発明の第２実施形態の腕時計を示す図２相当の断面図。
【符号の説明】
【００５６】
１１…腕時計（携帯時計・携帯機器）
１２…時計外装体（機器外装体）
１５…接点
２１…胴
２１ａ…胴外面
２１ｂ…奥壁
２１ｃ…胴内面
２５…押しボタン
２６…押しボタンの軸部
２７…押しボタンの抜け止め部材
２８…押しボタンの操作ヘッド
３１…凹部
３２…貫通孔
３５…パイプ
３６…挿入筒部
３７…外配置筒部
３７ａ…外配置筒部の奥壁当接部
３７ｂ…外配置筒部のばね受け面
３７ｃ…外配置筒部の筒端部
４１…防水パッキン
４５…コイルばね
Ｌ…コイルばねの高さ
Ｇ…間隙
【図１】
2009042140.tif 000003
【図２】
2009042140.tif 000004
【図３】
2009042140.tif 000005